(57)【要約】【課題】ゲームの実行可能性を増加させ参加者の地理的位置にかかわらずゲームを楽しむことができるシステムを提供する。【解決手段】本発明は、書き込み情報を書き込み表面（９）上に書き込み手段（１）の支援によって書き留めるステップを含む。この書き込み表面は、位置コーディングパターンを備えており、また、この書き込み手段は、組み合わされた書き込み／読み出しユニットであり、書き込み表面上を移動するその動きを連続的に読み取るものである。この情報は、ディジタル信号に変換されて、通信システム（１０，１１）を介して受信者（１２）に送られ、この受信者はこの受信した情報に関するフィードバックを返す。このような方法で実行可能なゲームの例としては、プールや、ロットや、賭けや、他のさまざまなゲームがあり、ペンや紙を用いて実行される。【選択図】図１
2006341084.tif 000002
【特許請求の範囲】
【請求項１】
書き込み手段の支援によって、書き込み情報を書き込み表面上に書き留めるステップを含むタイプのゲームを実行する方法において、前記方法が：
位置コーディングパターンを備えた書き込み表面を用いるステップと；
前記書き込み手段として書き込み／読み出しユニットを用いるステップであり、前記ユニットが、前記書き込み表面上での前記書き込み／読み出しユニットの移動を、前記表面上の前記位置コーディングパターンを連続的に読み取ることによって検出する、前記ステップと；
前記書き込み／読み出しユニットによって検出された前記情報をディジタル信号に変換するステップと；
前記ディジタル化された信号を、通信システムを介して受信者に送信するステップと；をさらに含むことを特徴とする前記方法。
【請求項２】
前記書き込み／読み出しユニットが、前記書き込み表面上での前記移動を検出することに加えて、ユーザの目にとって判別可能な書き込み情報を前記書き込み表面上に残す、請求項１に記載のゲーム実行方法。
【請求項３】
前記送信された情報に関するフィードバックが、前記受信者から前記通信システムを介して受信される、請求項１又は２に記載のゲーム実行方法。
【請求項４】
前記書き込み表面として、競争や、試合や、番号の抽選などの事象の結果に賭けるための事前印刷済みのクーポンを利用する、先行する請求項の内のどれかに記載のゲーム実行方法。
【請求項５】
前記事象の結果に金を賭ける、請求項４に記載のゲーム実行方法。
【請求項６】
前記クーポンが完了して、前記情報は、それが転送される前に、前記書き込み／読み出しユニットにストアされる、先行する請求項の内のどれかに記載のゲーム実行方法。
【請求項７】
前記ゲームを手配する賭博会社から確認書を受け取る、先行する請求項の内のどれかに記載のゲーム実行方法。
【請求項８】
前記参加者が、前記賭博会社からの前記確認書を、前記ゲームが有効であると登録される以前に受け入れる、請求項７に記載のゲーム実行方法。
【請求項９】
前記ゲームが、一人以上の対応者及び／又はソフトウエアに対抗してパーティーゲーム又は娯楽ゲームとして実行される、請求項１〜３の内のどれかに記載のゲーム実行方法。
【請求項１０】
前記書き込み／読み出しユニットが、前記情報を、前記受信ユニットに対して、途中でストアすることなく連続的に送る、請求項１〜３又は９に記載のゲーム実行方法。
【請求項１１】
ゲームオペレータが、所望しだいで参加者によって娯楽として用いることが可能なさまざまなゲームをブロックやパッドに備える、請求項１〜３又は９〜１０に記載のゲーム実行方法。
【請求項１２】
前記書き込み／読み出しユニットが、前記参加者及び／又は前記書き込み／読み出しユニットを識別する目的で、前記受信者によって利用される固有の識別信号を送る、先行する請求項の内のどれかに記載のゲーム実行方法。
【請求項１３】
前記参加者と前記受信者間での前記情報が、前記書き込み／読み出しユニットの前記固有識別信号を利用することによって暗号化される、請求項１２に記載のゲーム実行方法。
【発明の詳細な説明】
【技術分野】
【０００１】
本発明は、書き込み手段の支援によって、書き込み表面上に情報を書き留める動作を含むタイプのゲームを実行する方法に関する。
【背景技術】
【０００２】
ロット、プール、トロッター繋駕速歩競争、競馬、ドッグレースなどのさまざまな種類の賭け事やゲームに参加する際に、賭け側が、たとえば、勝利者になるために自分の金を賭ける側の競合者の番号や、二つのチーム間で行われる試合の結果や、次の抽選で抽選されると賭け側が信じる番号を記入する特殊な事前印刷済みのクーポンを利用する。次に、賭け側は、特殊な賭博店、すなわち、賭け金を受け取る場所に行かなければならないが、そこでクーポンを渡し、次に、このクーポンにスタンプを押すか機械で読み取って、支払いをして、これで、賭け側は、自分がゲームに参加するための領収書を受け取る。
【０００３】
このような賭博方法にはいくつかの欠点が伴う。たとえば、クーポンは印刷しなければならないが、これは、しばしば、ゲームのラウンド毎に固有のものであり、また、このクーポンは、ゲームの各ラウンドが始まる前に特殊な賭博店で入手可能でなければならず、したがって、賭け側は、賭博店に行って、正しいクーポンを獲得しなければならない。そのうえ、賭け側は、クーポンに記入したら、クーポンを渡すある時点以前に賭博店に行って、支払いをして、領収書を得なければならない。多くの場合、賭け側は、自分のクーポンの獲得と引渡しをいっぺんに実行することはないが、それは、原則として、賭け側は、どっちの選択肢に賭ける価値があるか注意深く考慮したがるからである。クーポンを渡す最新の時点は、通常は、ゲームの各ラウンドが始まる比較的かなり前であるが、これは、賭博店の開閉時間が限られていること、クーポンが管理されることなどの理由による。さらに、賭博会社は、だれが賭け側であるか知らないし、賞金を与える場合、賭け側は、自分がサインしたクーポンを持って賭博店に行って、賞金を回収しなければならない。もちろん、これらの欠点は、ゲームに参加するかもしれない賭け側にとっては制限的に作用し、また、このため、ゲームに参加する賭け側にとっては多くの時間を費やし、計画して物理的に移動することになる。したがって、賭博店と賭け側の双方にとって賭博方法を簡略化する必要がある。
【０００４】
賭け側が自分の金を競争、試合又は宝くじなどの事象の結果に賭ける上記のタイプの賭け事に加えて、他の多くの種類のパーティーゲームや娯楽ゲーム、たとえば、参加者がペンと紙を用いてテキスト及び／又は数字を書き留めるような多くの形態のゲームや娯楽がある。このようなゲームの例として、沈没船、チック・タック・トー（コンピュータ・ゲーム）、ピクショナリ（お絵描きスゴロク）、ビンゴなどがある。これらのゲームでは、二人以上であったりする参加者が、ゲームの間は互いに密接している必要があるが、それは、参加者同士間で高度の対話性が必要であるからである。このため、ゲームの実行可能性が制限されることは言うまでもない。
【０００５】
【特許文献１】国際公開第ＷＯ  ００／７３９８３号公報
【特許文献２】国際公開第ＷＯ  ０１／１６６９１号公報
【特許文献３】国際公開第ＷＯ  ０１／２６０３２号公報
【特許文献４】国際公開第ＷＯ  ０１／２６０３９号公報
【特許文献５】国際公開第ＷＯ  ０１／４８５９１号公報
【特許文献６】国際公開第ＷＯ  ０１／４８６５４号公報
【特許文献７】国際公開第ＷＯ  ０１／４８６７８号公報
【特許文献８】国際公開第ＷＯ  ０１／４８６８５号公報
【発明の開示】
【発明が解決しようとする課題】
【０００６】
本発明の目的は、序文で言及したタイプのゲームの欠点と制限を軽減して、ゲームの実行可能性が増加し、参加者の地理的位置が重要でない娯楽を提供することである。少なくともこれらの目的は、クレーム１による方法によって達成される。
【課題を解決するための手段】
【０００７】
クレーム１の範囲内で、本発明はさまざまな仕方で実効させ、また、多くのタイプのゲームや娯楽に適用することが可能である。書き込み／読み出しユニットという用語は広い意味で解釈されるべきであり、場合によってはこのユニットは、なんら判読可能な書き物を残さず単に表面上でも移動を記録するだけの純粋な入力手段として機能し得るものである。
【０００８】
本方法を実行するに適した書き込み／読み出しユニットと位置コーディングパターンとは、たとえば、参照してここに組み込む、出願人自身の特許出願ＷＯ  ００／７３９８３号、ＷＯ  ０１／１６６９１、ＷＯ  ０１／２６０３２、ＷＯ  ０１／２６０３９、ＷＯ  ０１／４８５９１、ＷＯ  ０１／４８６５４、ＷＯ  ０１／４８６７８及びＷＯ  ０１／４８６８５に開示されている。
【０００９】
本発明のある実施形態によれば、書き込まれた情報は、一時的に書き込み／読み出しユニットにストアされ、これで、ユーザは、書き込み／読み出しユニットの送りボタンを起動することによって、又は、その目的のためにとって置かれて、書き込み／読み出しユニットにこの情報を送らせるようにトリガーを掛ける特殊設計の位置コーディングパターンを有する書き込み表面上の特定の場所を過ぎて移動させることによって、この書き込まれた情報を送る時点を選択することが可能となる。
【００１０】
受信側は、少なくとも第一のステップでは、たとえば、コンピュータや、携帯端末（ＰＤＡ）や、モバイル電話であったりする。その送信は、Ｂｌｕｅｔｏｏｔｈ(登録商標)などの、たとえば、赤外線や電波によって無線で発生させることが可能であり、また、有線や、電気的に、又は光学的に発生させることも可能である。この第一の受信ユニットから、情報は、たとえば、静止電話網や、モバイル電話網や、インターネットや、コンピュータネットワークを介して、たとえば、賭博会社や、対抗者側や、適切なソフトウエアが利用可能なコンピュータユニットに転送することが可能である。
【００１１】
クレーム２による本発明のある実施形態では、本方法を用いて、競争や、試合や、宝くじなどの事象の結果に賭けたり、オプションとしては、それと組み合わせて金を賭けたりする。本発明によれば、このことは、紙や他の、望ましくは、前記の特定の位置コーディングパターンを持つ書き込み可能表面上に事前印刷されたクーポンに記入することによって実行可能である。これらのクーポンは、従来の方法で別々に印刷することが可能であり、この場合、参加者は、クーポンを賭博店から持ってこなくてはならない。しかしながら、これらのクーポンはまた、たとえば、試合番組と一緒に新聞に印刷して配布することも可能である。こうすると、この位置コーディングパターンが、さまざまな新聞発行者によって固有であり、また、識別可能とすることが可能となる。このようにして、賭博会社は、どの新聞が最大数の参加者に達したかを読み取ることが可能である。しかしながら、これらのクーポンはまた、たとえば、インターネットやｅメールを介して電気的にダウンロードしてもよい。
【００１２】
参加者の識別は、参加者及び／又は書き込み／読み出しユニットに接続された、固有の識別信号を、たとえば、番号の組み合わせという形態で送るように設計することが可能な書き込み／読み出しユニットによって実行することが可能であれば便利である。これは、たとえば、送信情報と一緒に書き込み／読み出しユニットから自動的に送られる識別信号によって、又は、参加者によって入力されるＰＩＮコードによって達成することが可能である。参加者を識別することに加えて、上記の識別信号は、送出情報を、参加者と受信者、たとえば、賭博会社間での暗号化に利用しても良い。
【００１３】
そのうえ、ゲームに参加する支払いは、参加者が賭博会社内に有し、また、参加者が書き込み／読み出しユニットを介して課金されるように注文することが可能な賭博口座を介して適切に実行することが可能である。そのうえ、賞金の支払いは、このような賭博会社にすることが可能である。そして、書き込み／読み出しユニットが接続されているテレコムのオペレータに経費を課金することも可能である。さまざまな支払方法に関しては、ＰＣＴ／ＳＥ０１／０２５０３を参照されたい。書き込み／読み出しユニットを介して識別するおかげで、賭博会社は、賞金を参加者の口座に直接に支払うことが可能である。
【００１４】
上記の事前印刷されたクーポンは、勝利者や、試合の結果や、番号や、その類似物を記入するための特殊なボックスで適切に設計することが可能である。情報の伝送は、実質的に二つの方法で実行可能である。一方の方法では、記入されたボックス中の位置コーディングパターンは、それ自身が、情報の担体となり得る、すなわち、当該のボックス中の位置コーディングパターンは、特定のキャラクタ又は代替物、たとえば、宝くじの番号や、結果プールと関連する１２などの試合の結果のために特にとって置かれる。しかしながら、上記の情報はまた、参加者がある領域に書き込んだキャラクタを解釈することによって識別することも可能であり、また、位置コーディングパターンを用いて、キャラクタをクーポンのどこに書き込んだかを識別する。
【００１５】
上記の情報は、転送されたら、当該賭博会社によって、たとえば、参加者が識別される自動データ処理によって、又は、すべてが正確に記入されたか、また、適切であれば、支払いに関してすべてが整然としているかをチェックすることによって処理される。これはまた、賭博会社が、たとえば、銀行やクレジットカード会社で、参加者に課金することが可能であるかどうかをチェックするステップを含む。ある好ましい代替例として、次に、確認書を、参加者に対して、その人のモバイル電話や、ＰＤＡや、コンピュータを介して送る。次に、ゲームが最終的に記録されて双方の当事者にとって拘束力のあるものとなる前に参加者が賭博会社からこの確認書を受け取らなければならないようにすれば便利である。これで、この確認書とそれに続く受け取りが、参加者に対する領収書となり、これで、その後も賭けることができる。
【００１６】
クレーム９による本発明のある代替実施形態では、パーティーや娯楽を一人以上の対抗者と、又は、ストアされているソフトウエア相手に、書き込み／読み出しユニットを用いたり、位置コーディングパターンを備えた書き込み表面、たとえば、紙の上で書き込みや描画によってプレーしたりすることが可能である。参加者及びなんらかの対抗者及び／又はオプションソフトウエアは、同じ場所に存在する必要はなく、列になってもしくは待合室で待ちながら、又は、旅行しながら、ゲームを、純粋な娯楽としてテレコミュートしてのんびりと実行することが可能である。上記の賭博方法の場合と同様に、書き込み／読み出しユニットは、自身が紙の上をどのように移動しているかを読み取る。その情報を、ディジタル化して有線又は無線で、たとえば、モバイル電話、ＰＤＡ又はコンピュータに送る。これで、この情報は、対抗者の対応する受信ユニットに送られ、ここで、その情報がその対抗者に提示される。しかしながら、ゲームはまた、その場でも実行可能であり、この場合、参加者の受信ユニットと、同じ場所にいる対抗者が必要なだけであり、この場合、受信ユニットは、双方の参加者にとって表示装置として用いられる。しかしながら、受信ユニットにストアされているコンピュータソフトウエアを必要とするプレーもまた、実行可能である。書き込み／読み出しユニットはまた、表示装置上に顕われるゲームの移動部分のポインタとして動作可能である。
【００１７】
この代替プレーに適した、考えられ得るタイプのゲームはすべて、ピクショナリや、沈没船や、ビンゴや、クロスワードパズルなど、ペンと紙を通常用いてゲームを実行するものである。たとえば、この方法を、ペンと紙を通常は用いない他の種類の娯楽ゲームにも応用可能である。たとえば、待っている間などに、さまざまな種類のゲームを収集して、娯楽として用いられる位置コーディングパターンを持つ紙の上に事前印刷されるブロックやパッドを提供することが可能である。例として、参加者が表示装置や、プレー用カードや、新聞を介して、また、このプレー用カード上の代替物に印付けすることによって、新聞や中性紙上で質問を受けて、答えを受信ユニットに送り、この答えが正確であるかないか即座にフィードバックされるクイズゲームが挙げられる。
【発明を実施するための最良の形態】
【００１８】
最初に図１を参照すると、書き込み／読み出しユニット１の考えられる実施形態が示されている。これは主として、ペンポイント２を持ったペンの形状であり、これは、インクカートリッジ３をもったボールペンであれば便利である。レンズを持ったカメラ４が、ペンポイント２の側面で下方に向いている。ペンポイント２が書き込み表面と接触すると、感圧センサーがカメラを起動し、これで、ペンが移動する書き込み表面上での位置コーディングパターン上の移動を登録する。カメラはプロセッサ５と連通しており、このプロセッサ内で、カメラ映像がディジタル化されて解釈され、次に、映像データがメモリ６にストアされる。書き込み情報が所望の分量だけこのメモリ中にストアされると、この情報は、オプションとしての時間で、無線で、ある好ましい実施形態ではいわゆるＢｌｕｅｔｏｏｔｈ(登録商標)送信機である送信機７を介して送信することが可能である。参照番号８は、バッテリを示しており、これは、電流を書き込み／読み取りユニットに供給する。
【００１９】
次に、図２を参照すると、本発明の第一の実施形態による方法を実行する、考えられる方法が示されている。この実施形態では、ある人物がゲームに参加して、競争や、試合や、宝くじなどの事象の結果の予想に金を賭けることになっている。この目的のため、事前印刷済みクーポン９を用いる。これには、従来の仕方では、たとえば、賭けの対象となる試合のテキストと、参加者が選ばれた代替物、たとえば勝利チームや引き分けを印付けするボックスとが付けられている。しかしながら、このクーポンは、少なくとも記入予定の書き込み表面上の位置コーディングパターンを備えている限りは特殊であり、この位置コーディングパターンは、書き込み／読み出しユニット１を手段としての記入と関連して読み取られる。したがって、選択された代替物に関する情報は、書き込み／読み出しユニットのメモリ６にストアされ、これで、このクーポンが完了したら、参加者は、たとえば、クーポン上の特定の送りボックスに印付けすることによって情報を送ることを選ぶことが可能である。これによって、書き込み／読み出しユニット中の送信機が起動されて、情報が、適切な通信システムを介して受信者、たとえば、賭博会社に送られる。この通信システムは、オプション的な種類のものであってもよく、図示する例では、モバイル電話であり、これは、モバイル電話１０として図示されており、これが情報を中央サーバ１１に送り、このサーバから、情報が賭博会社のローカルサーバ１２に渡される。ここで、受信された情報は、従来方式の、望ましくは自動的な方式で処理されるが、この方式は、たとえば、書き込み／読み出しユニット１からの固有の識別信号で参加者を識別するステップと、クーポンが正しく記入されたかどうか、また、ゲームに参加するための支払いに関してすべてが整然としているかどうかをチェックするステップとを含むと便利である。すべてが整然としている場合、賭博会社は、反対方向に確認書を送るが、これはモバイル電話の表示装置に示すのが適当である。ゲームが最終的に記録される以前に、参加者にとっては、細目をこの確認書で受け取れると便利である。この受け取りは、書き込み／読み出しユニット１によっても可能であるし、また、直接的にモバイル電話１０を介しても実行可能である。ゲームを実行するこのような方法には、いくつかの利点が伴う。参加者は、記入されたクーポンによる実行済みゲームに関する文書類と、その他に、賭博会社からの確認による領収書を有するが、これは、モバイル電話にストアしたり、コンピュータなどの別の媒体や紙プリントアウトに伝送したりすることが可能である。本賭博方法によると、さらに、参加者はゲームに参加するのが容易になるが、これは、クーポンを特定の賭博店に渡す必要がないからである。また、ゲームのラウンドに参加するために、ゲームのラウンドやドローにより近い時間まで締め切りを延長する可能性もある。
【００２０】
図３に、本発明によるゲームを実行する代替方法を示す。この実施形態は、参加者が一人以上の追加の参加者に対して、オプションとしてはソフトウエアと組み合わせて、プレーする、又は、参加者が単にソフトウエア相手にプレーするパーティーゲーム又は娯楽ゲームを含む。図示の例では、二人の参加者が互いにプレーし合っているが、この方法の利点は、参加者は、同じ場所にいる必要がないことことである。参加者は各々が、上記のタイプの書き込み／読み取りユニット１と書き込み表面とを有しているが、この書き込み表面は、紙１４という形態であれば適切であり、この紙には位置コーディングパターンが備わっており、また、ゲームの形態にしたがって、オプションとして、実質的に空白であったり、事前印刷済みのプレーボードという形態を有したりすることが可能である。本方法は、参加者同士間で、又は、参加者とソフトウエア間での対話性が大きく、また、それ以外にも、図を描画したり、たとえば、ボックスを印付けしたり、ペンでテキスト／番号／記号を書き込んだりするステップを含むこのような種類のゲームに良く適している。双方の参加者の書き込み／読み出しユニット１は、便利な通信システムと通信しているが、この通信システムは図中では、二つのモバイル電話１０として図示されており、このモバイル電話は、望ましくはサーバ１１を介して互いに通信している。ゲームが進行するに連れて、参加者は、書き込み／読み出しユニット１を用いて書き込みし、その情報が、モバイル電話１０を介して送られることによって相互に動作し、この書き込みの結果が、他方の参加者に対して、その人のモバイル電話の表示装置上に、又は、音響信号で示される。本方法によるゲームの実際の実行は、実際には、ほとんど無限に変更可能である。モバイル電話の代わりに、たとえばコンピュータやＰＤＡを用いることも可能であり、これらは双方ともが、モバイル電話より表示装置が大きく、これで、ゲームをそれが進行するに連れて示す可能性が改善される。本方法はまた、その場では参加者のところに、中央ではゲーム会社のところにストアされることが可能なある形態のゲームソフトと対話するステップを含む。このようなソフトウエアによってもまた、たった一人の参加者がソフトウエア相手にペンと紙を用いてゲームを実行することが可能である。以下に、本発明による方法で実行可能なゲームの例をいくつか説明する。
【産業上の利用可能性】
【００２１】
沈没船：このゲームは、その場にまたは中央にストアされているソフトウエアに対して又は対抗者に対して実行される。これらの船は、書き込み／読み出しユニットによって位置付けられ、また、オプションとしては、ソフトウエアにストアすることが可能であり、又は、船をランダムに置いたソフトウエアによってプレーボードを提供するようにする。ゲームの最中は、シュートすると、それが、オプションのボックス内に印付けされ、当たりや外れを、オプションとしては、対抗者又はソフトウエアによって、たとえば、音響信号で印付けする。
【００２２】
ピクショナリ：この種のゲームの意味するところは、二人以上の参加者が、描くことによって言葉を示し、別の参加者がその意図された言葉をできる限り迅速に推測するというものである。この語は、ソフトウエアによってランダムに与えることができれば便利である。この種のゲームは、書き込み／読み出しユニットが、読み出し情報を連続的に通信システムを介して、情報を途中でストアすることなく送るように設計されていれば便利である。
【００２３】
クロスワードパズル：事前印刷済みのクロスワードがソフトウエアと対話形式で存在するため、参加者は、状況について迅速に更新され、また、このクロスワードが正しく記入されているかどうかについて即座にフィードバックを受けることが可能である。しかしながら、修正するには、書き込み／読み出しユニットまたはソフトウエアが、各ボックス中に書き込まれたキャラクタと解釈可能である必要がある。
【００２４】
ビンゴ：参加者は、事前印刷済みのクーポンを有し、また、モバイル電話のような通信デバイスを介して番号を受け取る。この番号が提示されるに連れて、参加者は、クーポン上にすべての当たりを印付けしていく。一行が完全に番号で満たされたら、参加者は、その情報を、ビンゴオペレータに送らせ、すると、オペレータは、この行が正しいかどうか、また、そのアイデンティティ及び類似物をチェックし、賞金を、もしあれば、支払う。
【００２５】
投票：たとえば、音楽や、芸術家や、映画などさまざまな種類の当たりリストを設定する。参加者は、なんらの形態の宝くじと組み合わせることが可能である。この投票を実行する際、書き込み／読み出しユニットのアイデンティティを記録し、これで、それが投票目的でたった一度しか使用できないようにしなければならない。
【図面の簡単な説明】
【００２６】
【図１】本発明の方法を実行するのに適した書き込み／読み出しユニットの略断面図である。
【図２】本発明の第一の実施形態の実行方法とそのための考えられる装置を示す略図である。
【図３】本発明の第二の実施形態の実行方法とそのための考えられる装置を示す略図である。
【符号の説明】
【００２７】
１  書き込み／読み出しユニット
２  ペンポイント
３  インクカートリッジ
４  カメラ
５  プロセッサ
６  メモリ
７  送信機
８  バッテリ
９  クーポン
１０  モバイル
１１  中央サーバ
１２  ローカルサーバ
１４  紙
【図１】
2006341084.tif 000003
【図２】
2006341084.tif 000004
【図３】
2006341084.tif 000005